(57)【要約】  【課題】観賞用植物の製造・卸売業者は、常に一定数の観賞用植物の店頭販売業者への委託販売、若しくは自らによる小売り販売ができると共に、店頭販売業者も自己の売上げ低下を招かずに、製造・卸売業者から委託された大量の観賞用植物の販売を可能ならしめる観賞用植物の卸売り及び小売り販売システムを提供する。  【解決手段】製造・卸売業者甲のサーバーコンピュータＡが、店頭販売業者乙のクライアントコンピュータＢと電気通信手段で接続された観賞用植物１の卸売り販売システムである。クライアントコンピュータＢは、顧客丙が同一商品等を店頭販売業者乙から一定束数購入する場合は１束当たりの販売単価は維持したままで、特定束数だけ余分に同一商品等に引き換え得る引換券等の発行数を記憶するメモリと、店頭販売業者乙が自己の売上金として製造・卸売業者甲に請求する通信手段とを有し、サーバーコンピュータＡは、店頭販売業者乙から請求された金額を自己の負担金として登録するレジスターと、総売上金を演算する演算手段とを有する。【選択図】図１
2011090533.tif 000002
【特許請求の範囲】
【請求項１】
仏花、アレンジフラワー、切花等の観賞用植物の製造・卸売業者が、店頭販売業者に前記植物の販売を委託する観賞用植物の卸売り販売システムであって、
前記製造・卸売業者によって操作されるサーバーコンピュータが、前記店頭販売業者によって操作されるクライアントコンピュータと電気通信回線を介して接続され、
前記店頭販売業者のクライアントコンピュータは、顧客が同一商品又は指定した商品を前記店頭販売業者から一定束数購入する場合は１束当たりの販売単価は維持したままで、特定束数だけ余分に同一又は指定した商品に引き換え得る引換券等の発行数を記憶するメモリと、
該記憶した引換券等の発行数相当分の金額を、前記店頭販売業者が自己の売上金として前記製造・卸売業者に請求する通信手段とを有し、
前記製造・卸売業者のサーバーコンピュータは、前記店頭販売業者から請求された前記引換券等の発行数相当分の金額を自己の負担金として登録するレジスターと、前記店頭販売業者への総売上金を演算する演算手段とを有することを特徴とする観賞用植物の卸売り販売システム。
【請求項２】
前記引換券は、予め仏花、切花、鉢植え植物等の植物又は台紙に貼付したシール等であり、
顧客が所定数のシール等が溜まった時点で該顧客が前記卸売り業者に同一商品の引き換えを要求できるようにしたことを特徴とする請求項１に記載の観賞用植物の卸売り販売システム。
【請求項３】
前記シール等を台紙に貼付するようにしたことを特徴とする請求項１又は２に記載の観賞用植物の卸売り販売システム。
【請求項４】
前記シール等は、一定数の同一商品と交換が可能なバーコードが付されたカードであり、前記店頭販売業者のクライアントコンピュータには、前記バーコードの読み取り手段が設けられていることを特徴とする請求項２又は３に記載の観賞用植物の卸売り販売システム。
【請求項５】
前記引換券に代えて、顧客が同一商品を購入するたびにスタンプを捺印するスタンプカードにしたことを特徴とする請求項１に記載の観賞用植物の卸売り販売システム。
【請求項６】
仏花、アレンジフラワー、切花等の観賞用植物の販売を小売り業者が行なう観賞用植物の小売り販売システムであって、
前記小売り業者によって操作されるサーバーコンピュータが設けられ、
該サーバーコンピュータには、顧客が同一商品又は他の商品を前記小売り業者から一定束数購入する場合は１束当たりの販売単価は維持したままで、特定束数だけ余分に同一又は他の商品に引き換え得る引換券等の発行数を記憶するメモリと、
該記憶した引換券等の発行数相当分の金額を、自己の負担金として登録するレジスターと、商品の総売上金を演算する演算手段とを有することを特徴とする観賞用植物の卸売り販売システム。
【請求項７】
前記引換券は、予め仏花、切花、鉢植え植物等の植物又は台紙に貼付したシール等であり、
顧客が所定数のシール等が溜まった時点で該顧客が前記卸売り業者に同一商品の引き換えを要求できるようにしたことを特徴とする請求項６に記載の観賞用植物の小売り販売システム。
【請求項８】
前記シール等の引換券を台紙に貼付するようにしたことを特徴とする請求項６又は７に記載の観賞用植物の小売り販売システム。
【請求項９】
前記シール等は、一定数の同一商品と交換が可能なバーコードが付されたカードであり、前記小売り業者のサーバーコンピュータには、前記バーコードの読み取り手段が設けられていることを特徴とする請求項７又は８に記載の観賞用植物の小売り販売システム。
【請求項１０】
前記引換券に代えて、顧客が同一商品を購入するたびにスタンプを捺印するスタンプカードにしたことを特徴とする請求項６に記載の観賞用植物の小売り販売システム。
【発明の詳細な説明】
【技術分野】
【０００１】
本発明は、例えば仏花、アレンジフラワー、切花等の観賞用植物の卸売り及び小売販売システムに関する。
【背景技術】
【０００２】
従来、例えば仏花、アレンジフラワー、切花等の観賞用植物は、通常、これら観賞用植物の製造・卸売業者が自ら生産して小売りするか、もしくは専門の植物製造業者から仕入れた大量の観賞用植物の販売を花屋等の一般小売店である店頭販売業者に委託して販売する委託販売がなされていた。
【０００３】
この場合、観賞用植物の製造・卸売業者としては、観賞用植物を大量に取り扱うので、その立場上、店頭販売業者に大量の観賞用植物を供給することは可能である。
【０００４】
一方、観賞用植物の店頭販売業者としては、製造・卸売業者から委託された大量の観賞用植物の販売を完遂したいところではあるが、その促進のために一束当たりの販売単価を下げたのでは自己の売り上げ全体の減少に繋がる。
【０００５】
そこで、従来、顧客がある程度まとまった特定数の商品を購入した場合には、それを条件として一定数の無償の同一商品を提供するという、いわゆる「おまけ」の販売方法が行なわれてきた。
【０００６】
しかし、その「おまけ」相当数の商品販売金額を店頭販売業者が自己負担したのでは確実に自分の売り上げに影響する。
【０００７】
したがって、望ましくは、観賞用植物の製造・卸売業者及び店頭販売業者共に、上記のような観賞用植物の販売単価を下げずして、大量の観賞用植物の販売ができれば、市場には一定数の観賞用植物が常に流通するのであり、両者としては申し分のないところである。
【０００８】
しかしながら、従来技術にはこのような観賞用植物の製造・卸売業者及び店頭販売業者共に満足し得る観賞用植物の卸売り及び小売りの販売システムは見当たらなかった。
【発明の概要】
【発明が解決しようとする課題】
【０００９】
そこで本発明は、このような事情に鑑みてなされたもので、観賞用植物の製造・卸売業者は、常にまとまった一定数の観賞用植物の店頭販売業者への委託販売、若しくは自らによる小売り販売が期待できると共に、観賞用植物の店頭販売業者としても自己の売上げ低下を招かずに、製造・卸売業者から委託された大量の観賞用植物の販売を可能ならしめる観賞用植物の卸売り及び小売り販売システムを提供することを目的とする。
【課題を解決するための手段】
【００１０】
上記課題を解決するため、本発明の観賞用植物の卸売り販売システムは、仏花、アレンジフラワー、切花等の観賞用植物の製造・卸売業者が、店頭販売業者に前記植物の販売を委託する観賞用植物の卸売り販売システムであって、前記製造・卸売業者によって操作されるサーバーコンピュータが、前記店頭販売業者によって操作されるクライアントコンピュータと電気通信回線を介して接続され、前記店頭販売業者のクライアントコンピュータは、顧客が同一商品又は指定した商品を前記店頭販売業者から一定束数購入する場合は１束当たりの販売単価は維持したままで、特定束数だけ余分に同一又は指定した商品に引き換え得る引換券等の発行数を記憶するメモリと、該記憶した引換券等の発行数相当分の金額を、前記店頭販売業者が自己の売上金として前記製造・卸売業者に請求する通信手段とを有し、前記製造・卸売業者のサーバーコンピュータは、前記店頭販売業者から請求された前記引換券等の発行数相当分の金額を自己の負担金として登録するレジスターと、前記店頭販売業者への総売上金を演算する演算手段とを有することを特徴とする。
【００１１】
上記発明の場合、以下に述べる種々の実施形態にすることができる。
【００１２】
すなわち、前記引換券は、予め仏花、切花、鉢植え植物等の植物又は台紙に貼付したシール等であり、顧客が所定数のシール等が溜まった時点で該顧客が前記卸売り業者に同一商品の引き換えを要求できるようにしてもよい。
【００１３】
また、前記シール等は台紙に貼付するようにしても良い。
【００１４】
また、前記シール等は、一定数の同一商品と交換が可能なバーコードが付されたカードとし、前記店頭販売業者のクライアントコンピュータには、前記バーコードの読み取り手段を設けても良い。
【００１５】
また、前記引換券に代えて、顧客が同一商品を購入するたびにスタンプを捺印するスタンプカードにしてもよい。
【００１６】
上記販売方法は、卸売業者による店頭販売業者への委託販売であるが、次に述べる卸売業者自らによる小売り販売とすることもできる。
【００１７】
すなわち、仏花、アレンジフラワー、切花等の観賞用植物の販売を小売り業者が行なう観賞用植物の小売り販売システムであって、前記小売り業者によって操作されるサーバーコンピュータが設けられ、該サーバーコンピュータには、顧客が同一商品又は他の商品を前記小売り業者から一定束数購入する場合は１束当たりの販売単価は維持したままで、特定束数だけ余分に同一又は他の商品に引き換え得る引換券等の発行数を記憶するメモリと、該記憶した引換券等の発行数相当分の金額を、自己の負担金として登録するレジスターと、商品の総売上金を演算する演算手段とを有することを特徴とする。
【００１８】
この場合、前記引換券は、予め仏花、切花、鉢植え植物等の植物又は台紙に貼付したシール等であり、顧客が所定数のシール等が溜まった時点で該顧客が前記卸売り業者に同一商品の引き換えを要求できるようにしても良い。
【００１９】
また、前記シール等の引換券を台紙に貼付するようにしてもよい。
【００２０】
また、前記シール等は、一定数の同一商品と交換が可能なバーコードが付されたカードであり、前記小売り業者のサーバーコンピュータには、前記バーコードの読み取り手段を設けてもよい。
【００２１】
また、前記引換券に代えて、顧客が同一商品を購入するたびにスタンプを捺印するスタンプカードにしてもよい。
【発明の効果】
【００２２】
本発明の観賞用植物の卸売り及び小売り販売システムによれば、観賞用植物の製造・卸売業者は、１束当りの商品の販売単価を下げずして、常にまとまった一定数の、観賞用植物の店頭販売業者への委託販売並びに自らによる小売りが期待できる。この場合、店頭販売業者が顧客に提供した「おまけ」相当分の商品代金は、全体として製造・卸売業者の商品販売数が増加するので問題ではなくなる。
【００２３】
また、観賞用植物の店頭販売業者としても自己の総売上金額の低下を招かずに、製造・卸売業者から委託された一定数の観賞用植物の小売りを可能ならしめることができる。
【図面の簡単な説明】
【００２４】
【図１】本発明の観賞用植物の卸売り販売システムを説明したチャート図である。
【図２】図１の観賞用植物の卸売り販売システムを実施する場合に用いる台紙の平面図である。
【図３】図３（ａ）は、図１の観賞用植物の卸売り販売システムを実施する場合に用いるスタンプカードの平面図、図３（ｂ）はバーコードカードの平面図である。
【図４】図１の観賞用植物の卸売り販売システムを実施する場合の別例の実施形態を示す正面図である。
【符号の説明】
【００２５】
１    仏花
２    おまけの仏花    
３    専用シート（台紙）
４    シール
５    スタンプカード
６    バーコードカード
７ａ〜７ｄ    バーコード
８    包装紙
９    バーコード
１０    バーコード
Ａ    サーバーコンピュータ
Ｂ    クライアントコンピュータ
甲    製造・卸売業者
乙    店頭販売業者
丙    顧客
【発明を実施するための形態】
【００２６】
以下、本発明に係る観賞用植物の販売システムの実施形態を図面に基づいて説明する。
【実施形態１】
【００２７】
図１は、本発明の観賞用植物の卸売り販売システムの販売ステップを説明したチャート図である。
【００２８】
図において、製造・卸売業者によって、仏花、アレンジフラワー、切花等の観賞用植物のうち、例えば仏花１を委託販売商品として、小売店、ホームセンター、チェーン店等の店頭販売業者乙に、まとまった数として例えば２０束を提供したと仮定する（ステップ１）。
【００２９】
そこで、製造・卸売業者甲は、その委託販売日、委託販売先、商品名である仏花、委託販売数である２０束、その売上金額等の委託販売情報を自己のサーバーコンピュータＡに入力する。
【００３０】
この場合、店頭販売業者乙は、勿論全数の２０束を一度に顧客丙に販売しても良いのであるが、一度には２０束の全数が売れず、例えばそのうちの１０束が初回販売数として売れたと仮定する（ステップ２）。
【００３１】
店頭販売業者乙は、顧客丙に１０束の仏花１を販売すると共に、１０枚のシール４を顧客丙に手渡し、これらの販売情報を自己のクライアントコンピュータＢのメモリ（不図示）に入力して記憶させる。
【００３２】
なお、この場合の「シール４」は、ポイントマーク、エコマーク等（以下、「シール等」と略称する。）であっても良く、店頭販売業者乙はそのシールの種別も上記メモリに記憶させる。
【００３３】
一方、顧客丙は、仏花１の１０束分の購入代金を店頭販売業者乙に支払うとともに、シール４を貼付する図２の専用シート（台紙）が店頭販売業者乙の例えば切花コーナーにまとめて置いてあるので、顧客丙はそれを１枚持ち帰り、店頭販売業者乙から貰った１０枚のシール４を専用シート３に貼付する（ステップ３）。
【００３４】
図２に示すように、専用シート３は、１０枚のシール４を貼付する枠３ａが設けてあるから、専用シートは１０枚のシール４で満たされる。
【００３５】
この場合、顧客丙は、専用シート３の上方に記載されているとおり、「シール４を１０枚集めると仏花、または菊束のいずれか１束のプレゼントを受ける権利」、すなわち「おまけ」として１束分無償の仏花２が貰える権利が発生するので、店頭販売業者乙の店頭にて仏花１束分と引き換える事ができる。
【００３６】
店頭販売業者乙は、顧客丙からの求めにより、「おまけ」として菊束１束分を無償提供した場合は、その売り上げ金２９８円を自己の売上金として計上するために、図２の専用シート３の下方に設けてあるバーコード７ａをクライアントコンピュータＢのバーコード読み取り手段（不図示）によって読み取る。
【００３７】
一方、仏花１束分を無償提供した場合は、その売上金として３４０円を計上するために、今度はバーコード７ｂをバーコード読み取り手段によって読み取り、それらの売上金額をクライアントコンピュータＢのメモリに記憶させる。
【００３８】
すなわち、製造・卸売業者甲と、店頭販売業者乙間の事前の委託販売契約により、「おまけ」の仏花２は、顧客丙に対しては無償提供であるが、店頭販売業者乙の売上金として計上しても良いこと、すなわち仏花２の１束分の経済的負担は、製造・卸売業者甲側にあるものとし、それは１０束分というまとまった数量の同一商品を店頭販売業者乙が販売できた場合に限り可能であり、また、仏花１束当りの売値単価は落とさない事について事前契約しておくのである。
【００３９】
なお、「おまけ」の対象となる商品は、仏花２という同一商品を原則とするが、菊束等の製造・卸売業者甲が指定する別の商品であっても良いものとし、その場合は店頭販売業者乙はクライアントコンピュータＢのメモリにその旨、記憶させておく。
【００４０】
また、顧客丙が何束分売れた場合に何個のおまけを提供するかについても適宜、両者間で事前契約し、クライアントコンピュータＢのメモリに入力しておくものとする。
【００４１】
そして、店頭販売業者乙は、自己のクライアントコンピュータＢの通信手段（不図示）により、製造、卸売業者甲のサーバーコンピュータＡに、引換券等の発行数相当分の金額を自己の売上金として請求する（ステップ４）。
【００４２】
上記通信手段は、インターネット等の双方向通信手段のみならず、製造、卸売業者甲又は店頭販売業者乙の電話回線や、製造、卸売業者甲と複数の店頭販売業者乙間に張り巡らしたＬＡＮ等の通信手段であっても良いものとする。
【００４３】
一方、製造、卸売業者甲のサーバーコンピュータＡは、店頭販売業者乙から請求された引換券等の発行数相当分の金額を、自己の負担金としてレジスターに登録するとともに、店頭販売業者乙への総売上金を演算手段により計算する（ステップ５）。
【００４４】
以上に述べた本発明の販売システムによれば、顧客丙は、２回目の購入分として店頭販売業者乙から仏花１を仮に１０束購入した場合は、１０枚のシール４で満杯になった専用シート３を店頭販売業者乙に手渡せば仏花２の１束は無償提供を受ける事ができるから、９束分の購入金額で１０束分の仏花の提供を受けられるメリットがある（ステップ６）。
【００４５】
また、顧客丙は、おまけの仏花２の１束分のシール４も１枚貰えるので、シール４を溜めて置く事により、次回購入時に役立てる事が出来、仏花購入の購入意欲が働く。
【００４６】
また、店頭販売業者乙は、おまけ（仏花２）１束分の経済的負担をせずともよく、しかもおまけ１束分の売上金額も自己の売上金として計上できるから、何ら損失は発生しない。したがって、店頭販売業者乙は、本発明の販売システム実行の意欲が湧くことになる。
【００４７】
更に、製造・卸売業者甲においても、おまけ１束分の経済的負担は発生するものの、仏花は定番商品として大量に入手し得る立場にあるので、委託販売商品の単価を下げずに大量の商品を店頭販売業者乙に常時、供給できるので、上記おまけ１束分の負担はもはや損失ではなくなり、むしろ全体としては同一商品の売上数増大による利益の方が格段に大きくなるメリットがある。
【実施形態２】
【００４８】
実施形態１においては、店頭販売業者乙が相当数の同一商品の販売を促進させるために図２に示した専用シート３を用いたが、これに代えて図３（ａ）に示すスタンプカード５又は図３（ｂ）に示すバーコードカード６を用いても良い。
【００４９】
すなわち、図３（ａ）に示すスタンプカード５は、仏花１を１束或いは複数束を顧客丙が購入するたびにスタンプカード５の所定枠内にスタンプ５ａが１個又は複数個捺印される。したがって、満杯になった時点で、１束分或いは複数束分の仏花２を「おまけ」として店頭販売業者乙から無償で獲得できる権利が発生するのであり、図３（ｂ）に示すバーコードカード６についても同様である。
【００５０】
なお、バーコードカード６の右下にあるバーコード７ｃ、７ｄは、例えば１０束、２０束というように仏花１の纏め買いの顧客丙が有る場合に、その顧客丙に還元すべきおまけの仏花２数や、その販売金額等の情報を自己のクライアントコンピュータＢのレジスターに格納するために、読み取り手段で読み取るためのものである。
【００５１】
このように顧客丙のおまけ獲得の権利を種々のカード形式にすることにより、顧客丙は携帯に便利であり、より一層商品購入の意欲が湧くものである。
【実施形態３】
【００５２】
図４は、図１の観賞用植物の卸売り販売システムの別例の実施形態を示す正面図である。
【００５３】
すなわち、図３（ｂ）においては、顧客丙のおまけの仏花２を貰える権利をバーコードカード６としたが、本実施形態３では仏花１の包装紙８上部の見易い位置にバーコード９又はバーコード１０を付したものである。
【００５４】
この実施形態３によれば、前述の実施形態１、２と異なり、商品が直接見える部分にバーコード９又はバーコード１０を貼付するので、より一層商品購入意欲が湧くものである。
【実施形態４】
【００５５】
以上の実施形態１〜３は、いずれも観賞用植物の卸売り販売システムに関するものであるが、本発明の趣旨は、観賞用植物の小売り販売システムにも適用することができる。
【００５６】
すなわち、この小売り販売システムは、上記製造・卸売業者甲が、自ら前述した種々の引換券を顧客丙に提供して、自らが観賞用植物の小売りをする場合である。
【００５７】
この場合においても製造・卸売業者甲は、おまけ１束分の経済的負担はあるものの、仏花は定番商品として自分が大量に入手し得る立場にあるので、上記おまけ１束分の負担は損失ではなくなり、むしろ同一商品の売上数増大による利益が得られる。
【００５８】
以上、実施形態１〜４において、本発明に係る観賞用植物の販売システムを説明したが、本発明はこれらの実施形態に限定されず、種々の変形例にすることが可能であり、それらの形態も本発明の範囲に含まれることは勿論である。
【図１】
2011090533.tif 000003
【図２】
2011090533.tif 000004
【図３】
2011090533.tif 000005
【図４】
2011090533.tif 000006